(57)【特許請求の範囲】
【請求項１】
走行装置を有する下部走行体と、前記下部走行体の上部に連結された機体フレームと、前記機体フレーム上の前方左右一側方に搭載されたキャブと、前記機体フレーム上の前記キャブと左右反対側側方に配置された貯油タンクと、前記貯油タンクの前方に配置された機器類配置スペースとを有する建設機械において、
前記機器類配置スペース上面の高さ位置は、前記貯油タンク上面の高さ位置より低く設定され、
作業灯装置を、前記走行装置の上面前端付近と、前記機器類配置スペースの上面前端付近とを結ぶ線上で、前記機器類配置スペースより上方の貯油タンクの前面に対して近接して固定したことを特徴とする建設機械の作業灯取付構造。
【請求項２】
前記機器類配置スペースを覆うカバー部材と、前記作業灯装置の周辺を覆う作業灯カバー部材とを有し、前記作業灯カバー部材は前記貯油タンクに対して固定されるとともに、前記作業灯装置の前面部分に開口部を設けたこととを特徴とする請求項１記載の建設機械の作業灯取付構造。
【発明の詳細な説明】
【０００１】
【発明の属する技術分野】
本発明は、油圧ショベル等の建設機械の夜間作業等に使用される、前方照射用の作業灯装置等の取付構造に関する。
【０００２】
【従来の技術】
図５に特開平９−１１９１４７号に記載されている従来技術の一実施例の油圧ショベルを示す。図において、１は下部走行体、２は走行装置、３は機体フレーム、４はキャブ、５はカウンタウエイト、６は作業装置、７は作業灯装置、８は機体フレーム３上に搭載されている構造物の一つ、９は機器類配置スペースでありこの実施例においては作業灯装置を機体フレーム３上から取り外して使用するためのケーブルリール１０が収納配置されている。１１は機器類配置スペースを覆うカバー部材、１２はカバー部材の前方に設けられた開口部である。
【０００３】
図５の従来技術では、夜間等に掘削作業等の諸作業を行うための作業灯装置７が機器類配置スペース９の内部に配置され、機器類配置スペース９を覆うカバー部材１１の前方に開口された開口部１２より前方下方付近を照射するようにしてある。これによれば、例えば掘削作業時に、掘削対象となる土壌を照射することができる。
【０００４】
図６に実開昭５８−２５３５５号に記載されている従来技術の他の実施例の油圧ショベル（バックホウ）の前方右側方の要部断面図を示す。図５と同一の構成要素を示すものには同一の符号を付す。１３はバッテリ、１４は工具箱、１５は作業灯装置７を支持する支持部材、１６は工具箱上方及びバッテリと作業を覆うカバー部材、１７はカバー部材１６を前後方向に開閉回動させるためのヒンジである。
【０００５】
図６の従来技術によると、実開昭５８−２５３５５号全文明細書中には「（カバー部材１６）の後傾部分に形成した開口から突出させた状態で掘削用作業灯装置（７）をバッテリ用カバー（１６）に取付けて、作業灯装置（７）の下方照射を可能に構成し、」と記載されているのみでありその構成は不明ではあるが、図６に示される構成を見る限りでは、機体フレーム３上に配置搭載された構造物８に支持部材１５を介して固定された構成が推測される。
【０００６】
【発明が解決しようとする課題】
図５に示す従来技術によれば、機器類配置スペース９内部に作業灯装置７が配置されている。この機器類配置スペース９内には、図６に示されるようにバッテリや工具箱等が配置されることが通常多いのであるが、図５のように機器類配置スペース９内部に作業灯装置７等を配置すると、機器類配置スペース９内が狭くなってしまい、機器類配置レイアウトに制約が出るばかりでなく、比較的小型の油圧ショベルでは機器類を配置すること自体が困難になってしまう。また作業灯装置７が低い位置に配置されているため、走行装置２により巻き上げられた土砂等が作業灯装置７にかかり汚れてしまうため、十分な光量が得られなくなり、更に小石等が走行装置２により巻き上げられた場合には作業灯装置７のレンズを破損させてしまうことがあった。また、作業灯装置７が低い位置に配置されているので、作業灯装置7と地面との距離が近くなり、照射範囲が狭くなるという問題もあった。
【０００７】
図６に示される従来技術によれば、図５の場合に比べて作業灯装置７が上方に取付けられているため、機器類配置スペースの中で実質的に機器類（図６ではバッテリ１３及び工具箱１４）が搭載されるスペースには作業灯装置７は影響を及ぼさないため、十分なスペースを得ることができ、機器レイアウトの自由度も増す。
【０００８】
しかしながら、図６の構成によれば、作業灯装置７が高所に配置されることになるため、油圧ショベルの振動が作用した場合、低所に配置した場合に比べ振幅が大きくなりがちで、作業灯装置７による照射範囲が揺れてしまい視認性を悪化させ、作業性が悪くなる恐れがある。
【０００９】
また、作業灯装置７を機器類配置スペース９の後方にある構造物８に取付けるため、作業灯装置７の照射光が機器類配置スペース９や図示されない走行装置２に遮られ、走行装置２の近傍を照射することができない。図６では比較的長尺な支持部材１５を介して機体フレーム３上の構造物８に固定することにより作業灯装置７を前方に位置させているが、これによれば余計に揺れによる悪影響が発生しやすい。
【００１０】
更に、図６の構成ではカバー部材１６が大型化してしまい、例えばバッテリ１３のメンテナンスを行う場合も、作業灯装置７のメンテナンスを行う場合であっても、バッテリ１３と作業灯装置７を含めて覆っている大型のカバー部材１６を開く必要があり、作業性が悪い。
【００１１】
【課題を解決するための手段】
走行装置を有する下部走行体と、前記下部走行体の上部に連結された機体フレームと、前記機体フレーム上の前方左右一側方に搭載されたキャブと、前記機体フレーム上の前記キャブと左右反対側側方に配置された貯油タンクと、前記貯油タンクの前方に配置された機器類配置スペースと、前記機器類配置スペースの上方を覆う開閉可能なカバー部材とを有する建設機械において、前記機器類配置スペース上面の高さ載置は、前記貯油タンク上面の高さ位置より低く設定され、前記作業灯装置は、前記走行装置の上面前端付近と、前記機器類配置スペースの上面前端付近とを結ぶ線上で、前記機器類配置スペースより上方の貯油タンクの前面に対して近接して固定され、前記カバー部材を上下方向に回動させるヒンジ部材を、前記作業灯装置の前端面より前方に設定した。
【００１２】
これによれば、作業灯装置は機器類配置スペース内に配置されないので、機器類配置スペースは十分な容量を得ることができ、また機器配置レイアウトも自由度が高くなる。また作業灯装置が高所かつ機器類配置スペースの前端より後方に配置されることとなるため、作業灯装置の照射範囲が広範囲になり、掘削作業等において作業性が向上するとともに、走行装置により巻き上げられた土砂等により作業灯装置が汚れたり、或いは走行装置により巻き上げられた小石等により作業灯装置のレンズが破損することを防ぐことができる。更に、走行装置の上面前端付近と機器配置スペースの上面前端付近とを結ぶ線上に作業灯装置が配置されるため、走行装置や機器配置スペースにより遮られる作業灯から照射される光を少なくすることができ、掘削作業等において作業性が向上するとともに、構造物の高さを必要以上に高くしたり、機体フレーム上の構造物である貯油タンクの上面より上方に作業灯装置を配置することを可能な限り避けることができる。また機器類配置スペースの後方に配置されている貯油タンクの前面に作業灯装置を取付けたので、作業灯装置を覆うカバー部材に特別な支持部材を設けることなしに強固に作業灯装置を固定でき、生産性も向上できる。
【００１３】
また、貯油タンク内に充填される作動油或いは燃料等の油類が、例えば油圧ショベルの走行振動や作業に伴う振動を吸収し制振効果を発揮するため、貯油タンクの振動は早期に収束し、これにより作業灯装置の振動を抑えることが可能となり、作業灯装置からの光の照射範囲が揺れることを防ぐことができる。
【００１４】
また、機器類配置スペースを覆うカバー部材を設けたので、必要に応じて機器類ハイツスペースの上方のみ開放でき、このカバー部材の小型化ができるので開閉操作が容易であり、メンテナンス性が向上できる。
【００１５】
更に、前記作業灯装置の周辺を覆う作業灯カバー部材とを有し、前記作業灯カバー部材は前記貯油タンク対して固定されるとともに、前記作業灯装置の前面部分に開口部を設けることによれば、作業灯装置のみ開口することが可能であり、このカバー部材が小型化できるので開閉操作が容易であり、メンテナンス性が向上できるとともに、不必要な場合に作業灯装置が剥き出しにされることがないので、例えば機器類配置スペース内の工具類を取り出すときに作業灯装置に触れて、照射角がずれることを防止できる。また作業灯カバー部材は、作業灯装置が取付けられている貯油タンクに対して固定されているので、カバー部材に設けた開口部と作業灯装置の相対位置が建設機械の製造時の組み付け誤差等により狂うことを防ぐことができ、またあらかじめ貯油タンクに作業灯装置と作業灯カバー部材を組み付けてアッセン化した後、機体フレームに搭載させることもできるので、生産性が向上できる。
【００１６】
【発明の実施の形態】
本発明の実施の形態を図面において説明する。従来技術と同一の構成要素には同一の符号を付す。図１は本発明を適用した油圧ショベルの一実施形態を示す図である。図において、２０は機器類配置スペース、２１は機器類配置スペースを覆うカバー部材、２２は作業灯装置、２３は作業灯カバー部材、２４は作業灯カバー部材に形成された開口部、２５は機体フレーム３上の構造物の一つの貯油タンクであり、本実施形態では燃料タンクである。図２は図１の要部拡大図であり、図において２６はカバー部材２１開閉用のヒンジ部材である。図３は図２の要部断面図であり、図において、２８はバッテリ、２９は工具箱、３０は作業灯装置２２を燃料タンク８に固定支持するための支持部材である。図４は図２をＡ方向から見た要部正面図であり、図において、３１はカバー部材２１開閉用の開閉レバーである。
【００１７】
次に、図１〜図４に基づいて、本実施形態の構成について説明する。本実施形態に示す油圧ショベルは、下部走行体１の左右両側方に設けられたクローラ式の走行装置２により走行自在とするとともに、下部走行体１上に旋回可能に連結された機体フレーム３と、機体フレーム３に上下方向に揺動自在に連結された作業装置６と、機体フレーム３上に、運転室用のキャブ４、燃料タンク２５、その他図示しない作動油タンク、エンジン、各種油圧機器類等が搭載され、更にその後端部にはカウンタウエイト５が連結されている。作業装置６は図示しないブーム、アーム、バケット等の作業工具を順次回動自在に連結して構成しており、例えば作業装置６の先端に取付けられているバケットにより土壌の掘削作業を行うことができる。
【００１８】
油圧ショベルは、夜間工事、地下工事等にも使用されるため、照明が取付けられている。照明の取付け位置としては、作業装置６やキャブ４に固定されるものもあるが、十分な照射範囲と光量を得るために、キャブ４と反対側側方に搭載されている燃料タンク２５等の前方にも照明用の作業灯装置が配置されている。
【００１９】
本実施形態によれば、燃料タンク２５の前方に機器類配置スペース２０が形成されており、この機器類配置スペース２０を覆うようにカバー部材２１が取付けられている。カバー部材２１はヒンジ部材２６により上下方向に回動自在に枢支されており、レバー部材３１により上方に引き上げることで、機器類配置スペースを開放できる。
【００２０】
機器類配置スペース２０にはバッテリ２８や工具箱２９が搭載されており、必要に応じてカバー部材２１を開放することによりバッテリ２８のメンテナンスや、工具箱の取り出しを行うことができる。
【００２１】
機器類配置スペース２０はその後方に配置されている燃料タンク２５の略半分くらいの高さに設定されており、これによれば、カバー部材２１の上面を機体の上部（燃料タンク２５上面）に上がるためのステップとして使用できる。
【００２２】
この機器類配置スペース２０の上面より上方の燃料タンク２５の前面に支持部材３０を介して作業灯装置２２が固定されている。この作業灯装置２２の取付位置は走行装置２の上面前端付近と、カバー部材２１の上面前端付近を結ぶ線上に配置されている。この場合、完全に線上である必要はなく若干この線上より上方に配置した方が理想的であるが、燃料タンク２５の上面に近づきすぎると、作業灯装置２２が燃料タンク２５上面より上方に突出したり、また燃料タンク２５上へ上がるときに障害となるため、ほぼ線上近くに配置されることが望ましい。
【００２３】
作業灯装置２２は、支持部材３０に対して上下方向に照射方向調整自在となっており、作業を行うにあたり所望の照射方向を得られるように設定可能である。
【００２４】
次に、本実施形態の作用を図１〜図４に基づいて述べる。油圧ショベルが夜間例えば掘削作業を行う場合に、掘削を行おうとする範囲の地面を作業灯装置により照射しておく必要がある。このとき作業灯装置２２は走行装置２上面前端付近とカバー部材２１上面前端付近とを結ぶ線上付近（若干上方よりに）配置されているため、作業灯装置２２からの照射光は図１の角度αで示す範囲に照射することができる。これにより、照射光はカバー部材や走行装置により遮られること無く、地面のＷで示す範囲を照らすことが可能となる。また作業灯装置２２が高所に配置されているため、このＷで示す範囲は走行装置２の前端近くまで照射できるとともに、地面から離れた位置から照射するため、Ｗで示す照射される範囲は広くなるものである。なお、図１中に破線及び角度α'で示すのは、従来技術の図５に示される位置に作業灯装置を配置した場合の照射範囲であり、これによれば地面のＷ'で示される範囲が照らされることとなり、走行装置２の近傍が照らされない。すなわち、本発明によれば、走行装置２の近傍まで照射可能であるので、走行装置２の近傍を掘削する場合、或いは走行時においても図５で示される従来技術に比してその作業性は高くなる。
【００２５】
また、油圧ショベルは作業中に前進、停止、後進を繰り返し、特に悪路で使用されることが多いため、走行装置２の回転により土砂や小石等が巻き上げられることが多い。特に後進を行った場合（機体フレームが１８０度旋回した状態であれば前進）、走行装置２の図示しない履板の踏面に形成されている凸条により掻き上げられた土砂や小石が作業灯装置２２のレンズ面に接触し、汚れたり破損させる可能性があるが、本実施形態によれば、作業灯装置２２が高所でかつ若干後ろよりに配置されることとなるため、作業灯装置２２が汚れたり破損したりする心配が無い。
【００２６】
作業灯装置２２は本実施形態によれば小型の支持部材３０を介して燃料タンク２５に対して近接させて固定している。燃料タンク２５には燃料が充填されているが、油圧ショベルが走行や各種作業をすることにより機体に振動が発生しても、この燃料タンク２５は内部の液体（燃料）により早期に制振効果が得られるものである。作業灯装置２２は燃料タンク２５に固定されることによりこの燃料タンク２５の制振効果を利用することとなるため、振動による照射光の揺れを早期に抑えることができ、油圧ショベルの運転者は照射光の揺れにより眩惑したり、視認性が悪化したりすることがない。なお、本実施形態によれば作業灯装置２２を燃料タンク２５に固定したが、この制振効果を得るためには燃料タンクでなければならないものではなく、図示しないが同様に機体フレーム３上に配置搭載されている作動油タンクであってもよい。
【００２７】
また、作業灯装置２２は作業灯カバー部材２３により覆われているため、作業灯装置２２への電気配線等を保護することができ、また外観上の美観を保つことができる。この作業灯カバー部材２３は機器類配置スペース２０を開閉自在に覆うカバー部財２１とは別体に形成されているので、カバー部材が大型化することがなく、例えば工具箱を取り出す際にはカバー部材２１のみ開放すればよく、その開閉操作はカバー部材２１が小型であるため容易であるし、不必要に作業灯装置２２の周辺を開放しないので、例えば作業箱を取り出すときに作業者の体が作業灯装置２２に触れて照射角度が変わってしまうというような不具合を防ぐことができる。
【００２８】
次に作業灯装置にメンテナンスの必要が生じた場合は、作業灯カバー部材のみ取り外して作業灯装置２２の周辺を開放すればよい。なお、作業灯カバー部材の取付けは、開放操作を頻繁に行うものではないため、例えばボルト等により着脱可能に固定すればよい。また、この作業灯カバー部材２３は燃料タンク２５に固定するようようにしたので、油圧ショベルを製造する場合、予め燃料タンク２５に作業灯装置と作業灯カバー部材２３を固定してアッセン化した後、機体フレーム３上に搭載することができる。これによれば、組み立て工程の効率化は勿論のことであるが、作業灯装置２２と作業灯カバー部材２３を同一の構造物に対して組み付けるため、作業灯装置２２と作業灯カバー部材２３とのクリアランスや、作業灯カバー部材に開口された開口部と作業灯装置２２との位置関係等の組み付け精度を高いものとすることができる。
【００２９】
【発明の効果】
走行装置を有する下部走行体と、前記下部走行体の上部に連結された機体フレームと、前記機体フレーム上の前方左右一側方に搭載されたキャブと、前記機体フレーム上の前記キャブと左右反対側側方に配置された貯油タンクと、前記貯油タンクの前方に配置された機器類配置スペースと、前記機器類配置スペースの上方を覆う開閉可能なカバー部材とを有する建設機械において、前記機器類配置スペース上面の高さ載置は、前記貯油タンク上面の高さ位置より低く設定され、前記作業灯装置は、前記走行装置の上面前端付近と、前記機器類配置スペースの上面前端付近とを結ぶ線上で、前記機器類配置スペースより上方の貯油タンクの前面に対して近接して固定され、前記カバー部材を上下方向に回動させるヒンジ部材を、前記作業灯装置の前端面より前方に設定した。
【００３０】
これによれば、作業灯装置は機器類配置スペース内に配置されないので、機器類配置スペースは十分な容量を得ることができ、また機器配置レイアウトも自由度が高くなる。また作業灯装置が高所かつ機器類配置スペースの前端より後方に配置されることとなるため、作業灯装置の照射範囲が広範囲になり、掘削作業等において作業性が向上するとともに、走行装置により巻き上げられた土砂等により作業灯装置が汚れたり、或いは走行装置により巻き上げられた小石等により作業灯装置のレンズが破損することを防ぐことができる。更に、走行装置の上面前端付近と機器配置スペースの上面前端付近とを結ぶ線上に作業灯装置が配置されるため、走行装置や機器配置スペースにより遮られる作業灯から照射される光を少なくすることができ、掘削作業等において作業性が向上するとともに、構造物の高さを必要以上に高くしたり、機体フレーム上の構造物である貯油タンクの上面より上方に作業灯装置を配置することを可能な限り避けることができる。また機器類配置スペースの後方に配置されている貯油タンクの前面に作業灯装置を取付けたので、作業灯装置を覆うカバー部材に特別な支持部材を設けることなしに強固に作業灯装置を固定でき、生産性も向上できる。
【００３１】
また、貯油タンク内に充填される作動油或いは燃料等の油類が、例えば油圧ショベルの走行振動や作業に伴う振動を吸収し制振効果を発揮するため、貯油タンクの振動は早期に収束し、これにより作業灯装置の振動を抑えることが可能となり、作業灯装置からの光の照射範囲が揺れることを防ぐことができる。
【００３２】
また、機器類配置スペースを覆うカバー部材を設けたので、必要に応じて機器類ハイツスペースの上方のみ開放でき、このカバー部材の小型化ができるので開閉操作が容易であり、メンテナンス性が向上できる。
【００３３】
更に、前記作業灯装置の周辺を覆う作業灯カバー部材とを有し、前記作業灯カバー部材は前記貯油タンク対して固定されるとともに、前記作業灯装置の前面部分に開口部を設けることによれば、作業灯装置のみ開口することが可能であり、このカバー部材が小型化できるので開閉操作が容易であり、メンテナンス性が向上できるとともに、不必要な場合に作業灯装置が剥き出しにされることがないので、例えば機器類配置スペース内の工具類を取り出すときに作業灯装置に触れて、照射角がずれることを防止できる。また作業灯カバー部材は、作業灯装置が取付けられている貯油タンクに対して固定されているので、カバー部材に設けた開口部と作業灯装置の相対位置が建設機械の製造時の組み付け誤差等により狂うことを防ぐことができ、またあらかじめ貯油タンクに作業灯装置と作業灯カバー部材を組み付けてアッセン化した後、機体フレームに搭載させることもできるので、生産性が向上できる。
【図面の簡単な説明】
【図１】  本発明の一実施形態を示す油圧ショベルの側面図である。
【図２】  図１の要部拡大図である。
【図３】  図２の要部断面図である。
【図４】  図２のＡ方向から見た要部正面図である。
【図５】  従来技術の一実施例を示す斜視図である。
【図６】  従来技術の他の実施例を示す要部断面図である。
【符号の説明】
１  下部走行体
２  走行装置
３  機体フレーム
４  キャブ
５  カウンタウエイト
６  作業装置
７，２２  作業灯装置
９，２０  機器類配置スペース
１１，２１  カバー部材
１２，２４  開口部
１３，２８  バッテリ
１４，２９  工具箱
２３  作業灯カバー部材
２５  燃料タンク
２６  ヒンジ部材
３０  支持部材
【図１】
0003659468.tif 000002
【図２】
0003659468.tif 000003
【図３】
0003659468.tif 000004
【図４】
0003659468.tif 000005
【図５】
0003659468.tif 000006
【図６】
0003659468.tif 000007